(57)【要約】【課題】部品点数の増加を抑制しながら、記録媒体が反転搬送路に搬送される際に腰付け部材により腰付けされるのを抑制することによって、異音の発生を抑制することが可能な画像形成装置を提供する。【解決手段】この画像形成装置１００では、排出反転ローラー対２０は、正回転により用紙を排出するとともに、逆回転により用紙を反転搬送路１６へ向けて搬送する。腰付け部材５０は、排出反転ローラー対２０が正回転して用紙が排出方向に搬送される際に、用紙から受ける摩擦力によって、用紙搬送路１１内に突出する第１位置に配置される。また、腰付け部材５０は、排出反転ローラー対２０が逆回転して用紙が反転方向に搬送される際に、用紙から受ける摩擦力によって、第１位置に比べて用紙搬送路１１内への突出量が小さい第２位置に配置される。【選択図】図４
2017132610.tif 000002
【特許請求の範囲】
【請求項１】
像担持体上に形成されたトナー像を記録媒体上に転写する画像形成部と、
前記画像形成部において記録媒体上に転写されたトナー像を記録媒体上に溶融定着する定着部と、
前記定着部によりトナー像が定着された記録媒体を排出する排出部と、
記録媒体を前記定着部から前記排出部へと搬送するための排出搬送路と、
前記排出部の記録媒体排出方向上流側に繋がるように設けられ、一方の面に画像形成がなされた記録媒体を反転させて前記画像形成部へと再搬送するための反転搬送路と、
前記排出部に正逆回転可能に設けられ、正回転により記録媒体を排出するとともに、逆回転により記録媒体を前記反転搬送路へ向けて搬送する排出反転ローラー対と、
前記排出部に設けられ、前記排出搬送路内に記録媒体厚み方向に突出しており、前記排出反転ローラー対によりニップされた記録媒体と摺接し、記録媒体搬送方向と垂直な断面において記録媒体を波形状に変形させることにより、記録媒体に腰を付与する複数の腰付け部材と、
前記排出部に設けられ、前記腰付け部材を移動可能に保持するガイド部を有する保持部と、
を備え、
前記腰付け部材は、
前記排出反転ローラー対が正回転して記録媒体が排出方向に搬送される際に、記録媒体から受ける摩擦力によって、前記排出搬送路内に記録媒体厚み方向に突出する第１位置に配置され、
前記排出反転ローラー対が逆回転して記録媒体が反転方向に搬送される際に、前記録媒体から受ける摩擦力によって、前記ガイド部に沿って反転方向に移動し、前記第１位置に比べて前記排出搬送路内への突出量が小さい第２位置に配置されることを特徴とする画像形成装置。
【請求項２】
前記腰付け部材は、記録媒体と摺接する摺接部と、前記保持部のガイド部に係合する係合部と、を有することを特徴とする請求項１に記載の画像形成装置。
【請求項３】
前記係合部は、前記摺接部よりも排出方向下流側に配置される第１係合部と、前記摺接部よりも排出方向上流側に配置される第２係合部と、を含み、
前記ガイド部は、前記第１係合部に係合する第１ガイド部と、前記第２係合部に係合する第２ガイド部と、を含むことを特徴とする請求項２に記載の画像形成装置。
【請求項４】
前記第１係合部および前記第２係合部のうちの記録媒体搬送方向において少なくとも前記摺接部に近い方の前記係合部に係合する前記ガイド部は、排出方向上流側に向かって記録媒体から離間する方向に延びるように形成されていることを特徴とする請求項３に記載の画像形成装置。
【請求項５】
前記第１ガイド部および前記第２ガイド部の両方が、排出方向上流側に向かって記録媒体から離間する方向に延びるように形成されていることを特徴とする請求項４に記載の画像形成装置。
【請求項６】
前記第１係合部および前記第２係合部のうちの記録媒体搬送方向において前記摺接部に遠い方の前記係合部に係合する前記ガイド部は、水平方向に延びるように形成されていることを特徴とする請求項４に記載の画像形成装置。
【発明の詳細な説明】
【技術分野】
【０００１】
本発明は、画像形成装置に関し、特に、記録媒体に腰を付与する複数の腰付け部材を備えた画像形成装置に関するものである。
【背景技術】
【０００２】
従来、プリンターやその複合機等の画像形成装置は、所定の画像形成処理を行って用紙（記録媒体）上にトナー像を形成する画像形成部と、用紙上のトナー像を加熱定着して用紙上に定着させる定着部と、加熱定着された用紙を外部に排出する用紙排出部とを含む。
【０００３】
加熱定着処理されたトナー像を担持する用紙は、熱によって変形し易く、用紙排出部に搬送される際にカールしてしまう（巻き癖が付いてしまう）ため、用紙排出部には、用紙のカールを矯正する手段として、用紙を排出ローラー対によって排出する際に用紙に腰を付与する腰付け部材が設けられる。腰付け部材は、用紙幅方向（用紙搬送方向と直交する方向）に複数配置され、用紙搬送方向と垂直な断面において用紙を波形状に変形させる。これにより、腰が付与された用紙は、カールが矯正された状態となるので、排紙トレイ上に整然と積載される。
【０００４】
ところで、用紙の両面に画像形成処理を行う画像形成装置が知られている。このような画像形成装置として、例えば、排出反転ローラー対を正回転して用紙の後端部（排出方向上流側の部分）を外部に突出させた後、排出反転ローラー対を逆回転することで用紙をスイッチバックさせて反転搬送路へ搬送する画像形成装置が知られている。
【０００５】
なお、用紙に腰を付与する腰付け部材を備えた画像形成装置は、例えば特許文献１に開示されている。特許文献１の画像形成装置では、用紙に腰を付与するコルゲーションローラー（腰付け部材）と、コルゲーションローラーを用紙に対して接離する方向に移動させるソレノイド等からなる駆動部と、などが設けられている。
【先行技術文献】
【特許文献】
【０００６】
【特許文献１】特開２０１２−１０６８３７号公報
【発明の概要】
【発明が解決しようとする課題】
【０００７】
しかしながら、用紙の両面に画像形成処理を行う上記の画像形成装置において、用紙排出部に腰付け部材を設けた場合、用紙に両面印刷するために排出反転ローラー対によって用紙の後端部を外部に突出させた後、用紙をスイッチバックさせて反転搬送路に搬送する際に、腰付け部材によって用紙に腰が付与されてしまう。腰が付与された用紙が反転搬送路を通過するとき、特に反転搬送路の湾曲部において、用紙は進行方向に曲げられるとともに波形状が伸ばされることに起因して異音が発生するという問題点がある。
【０００８】
なお、特許文献１のように腰付け部材を用紙から離間させる駆動部を設ける場合、部品点数が増加するという問題点がある。
【０００９】
本発明は、上記のような課題を解決するためになされたものであり、本発明の目的は、部品点数の増加を抑制しながら、記録媒体が反転搬送路に搬送される際に腰付け部材により腰付けされるのを抑制することによって、異音の発生を抑制することが可能な画像形成装置を提供することである。
【課題を解決するための手段】
【００１０】
上記目的を達成するために、本発明の第１の構成の画像形成装置は、像担持体上に形成されたトナー像を記録媒体上に転写する画像形成部と、画像形成部において記録媒体上に転写されたトナー像を記録媒体上に溶融定着する定着部と、定着部によりトナー像が定着された記録媒体を排出する排出部と、記録媒体を定着部から排出部へと搬送するための排出搬送路と、排出部の記録媒体排出方向上流側に繋がるように設けられ、一方の面に画像形成がなされた記録媒体を反転させて画像形成部へと再搬送するための反転搬送路と、  排出部に正逆回転可能に設けられ、正回転により記録媒体を排出するとともに、逆回転により記録媒体を反転搬送路へ向けて搬送する排出反転ローラー対と、排出部に設けられ、排出搬送路内に記録媒体厚み方向に突出しており、排出反転ローラー対によりニップされた記録媒体と摺接し、記録媒体搬送方向と垂直な断面において記録媒体を波形状に変形させることにより、記録媒体に腰を付与する複数の腰付け部材と、排出部に設けられ、腰付け部材を移動可能に保持するガイド部を有する保持部と、を備える。腰付け部材は、排出反転ローラー対が正回転して記録媒体が排出方向に搬送される際に、記録媒体から受ける摩擦力によって、排出搬送路内に記録媒体厚み方向に突出する第１位置に配置され、排出反転ローラー対が逆回転して記録媒体が反転方向に搬送される際に、録媒体から受ける摩擦力によって、ガイド部に沿って反転方向に移動し、第１位置に比べて排出搬送路内への突出量が小さい第２位置に配置される。
【発明の効果】
【００１１】
本発明の第１の構成によれば、腰付け部材は、排出反転ローラー対が正回転して記録媒体が排出方向に搬送される際に、記録媒体から受ける摩擦力によって、排出搬送路内に記録媒体厚み方向に突出する第１位置に配置される。これにより、排出反転ローラー対により記録媒体が外部に排出される際には、腰付け部材により記録媒体に腰が付与される。
【００１２】
その一方、腰付け部材は、排出反転ローラー対が逆回転して記録媒体が反転方向に搬送される際に、記録媒体から受ける摩擦力によって、ガイド部に沿って反転方向に移動し、第１位置に比べて排出搬送路内への突出量が小さい第２位置に配置される。これにより、記録媒体の両面に画像形成処理を行うために、排出反転ローラー対により記録媒体が反転搬送路に向かって搬送される際には、腰付け部材は第１位置から第２位置に退避するので、腰付け部材により記録媒体に腰が付与されるのを抑制することができる。このため、記録媒体が反転搬送路の湾曲部を通過するときに異音が発生するのを抑制することができる。
【００１３】
また、腰付け部材を記録媒体に対して接離する方向に移動させる駆動部を設ける必要がないので、部品点数の増加を抑制することができる。
【図面の簡単な説明】
【００１４】
【図１】本発明の一実施形態の胴内排紙方式の画像形成装置の全体構成を示す図である。
【図２】本発明の一実施形態の画像形成装置の排出部周辺の構造を示した断面斜視図である。
【図３】本発明の一実施形態の画像形成装置の排出部を胴内排紙部側から示した図である。
【図４】本発明の一実施形態の画像形成装置の排出部周辺の構造を示した側面断面図であり、排出反転ローラー対が正回転している状態を示した図である。
【図５】本発明の一実施形態の画像形成装置の排出部周辺の構造を示した側面断面図であり、排出反転ローラー対が逆回転している状態を示した図である。
【図６】本発明の一実施形態の画像形成装置の腰付け部材の構造を示した斜視図である。
【図７】本発明の第１変形例の腰付け部材およびガイド溝の構造を示した図である。
【図８】本発明の第２変形例の腰付け部材およびガイド溝の構造を示した図である。
【発明を実施するための形態】
【００１５】
以下に本発明の実施形態について図面を参照して説明するが、本発明は、この実施形態に限定されない。また発明の用途やここで示す用語等はこれに限定されるものではない。
【００１６】
図１は、本発明の一実施形態の胴内排紙方式の画像形成装置の全体構成を示す図である。画像形成装置１００の下部には、カセットタイプの用紙給紙部１０が配設されている。用紙給紙部１０は上下２段の給紙カセット１０ａ、１０ｂを有し、給紙カセット１０ａ、１０ｂには印刷前の用紙（記録媒体）が積載して収容されている。給紙カセット１０ａ、１０ｂに収容された用紙は、選択された給紙カセット１０ａ（１０ｂ）から用紙ピックアップローラー１０ｄ（１０ｅ）により１枚ずつ繰り出され、繰り出された用紙は用紙搬送路１１へと送り出される。
【００１７】
画像形成装置１００の右側面には、手差しトレイ１０ｃが配設されている。手差しトレイ１０ｃは、給紙カセット１０ａ、１０ｂと異なるサイズの用紙が載置可能である。手差しトレイ１０ｃに載置された用紙は用紙搬送路１１へと送り出される。
【００１８】
用紙搬送路１１は、用紙給紙部１０の左方にて装置本体２の上下方向に延設される。用紙給紙部１０から送り出された用紙が、用紙搬送路１１上方のレジストローラー対１２に搬送される。レジストローラー対１２は、用紙にトナー像を転写するタイミングと同期をとって、画像形成部３に向けて用紙を送り出す。
【００１９】
画像形成装置１００の上部には原稿読取装置６が配設され、原稿読取装置６の上面には、プラテン（原稿押さえ）２４が開閉可能に設けられ、さらに、プラテン２４上には原稿搬送装置２７が付設されている。原稿のコピーを行う場合、原稿搬送装置２７に載置された原稿が１枚ずつ分離されて原稿読取部に送り出され、原稿読取装置６によって原稿の画像データが読み取られる。
【００２０】
画像形成装置１００の略中央部には、画像形成部３が配設されている。画像形成部３は、像担持体である感光体５を備え、さらに感光体５の周辺にその回転方向（図中のＡ方向）に沿って順に、帯電部４と、露光ユニット７と、現像部８と、転写ローラー１３、及びクリーニング部１８を備える。現像部８へのトナーの供給はトナーコンテナ９から行われる。クリーニング部１８は、ブレードやブラシ或いは研磨ローラー等のクリーニング部材を有し、クリーニング部材によって感光体５の表面に残留するトナーを剥ぎ取り、回収する。
【００２１】
感光体５の表面が帯電部４によって所定の極性および電位で一様に帯電されると、 露光ユニット７は、原稿読取装置６によって読み取られた原稿の画像データに基づいて、感光体５上に原稿画像の静電潜像を形成する。
【００２２】
現像部８は、帯電したトナーを感光体５の表面に供給し、感光体５上の静電潜像を現像してトナー像を形成する。トナー像は転写ローラー１３によって用紙上に転写される。トナー像が転写された用紙は、用紙搬送路１１の上方に配設される定着部１４へと搬送される。用紙にトナー像が転写された後、感光体５の表面に残留するトナーがクリーニング部１８によってクリーニングされて回収され、さらに図示しない除電装置によって感光体５の表面の残留電荷が除去される。
【００２３】
定着部１４は、熱源を内蔵する定着ローラー１４ａと加圧ローラー１４ｂとを有し、トナー像が転写された用紙を定着ローラー１４ａ及び加圧ローラー１４ｂによって加圧加熱し、用紙上のトナー像を溶融定着させる。トナー像が定着された用紙は、用紙搬送路（排出搬送路）１１において右上方に搬送され排出部３０の排出反転ローラー対２０によって胴内排紙部（排出トレイ）１７に排出される。
【００２４】
定着部１４と排出反転ローラー対２０との間の用紙搬送路１１から分岐して反転搬送路１６が設けられる。反転搬送路１６は、用紙の一方の面にトナー像が定着された後、必要に応じて用紙の他方の面にもトナー像を形成するときに用いられるものであり、定着部１４の上方から定着部１４の周りを覆い、さらに用紙搬送路１１と装置本体２の側面２ａとの間を下方に延設され、レジストローラー対１２の近傍の用紙搬送路１１に合流している。
【００２５】
両面印刷を行う場合には、一方の面にトナー像が定着された用紙は、胴内排紙部１７に排出させる途中において、用紙搬送路１１と反転搬送路１６との分岐部を用紙の後端が通過したタイミングで排出反転ローラー対２０を逆回転させる。これによって、用紙がスイッチバックされ反転搬送路１６に送られ、用紙の印刷面が表裏逆向きにされた状態で反転搬送路１６から再び用紙搬送路１１のレジストローラー対１２に搬送される。その後、画像形成部３にて用紙の他方の面にもトナー像が転写されると、用紙は定着部１４によって定着処理され胴内排紙部１７に排出される。
【００２６】
図２は、本発明の一実施形態の画像形成装置の排出部周辺の構造を示した断面斜視図である。尚、図２は、図１の紙面奥側から見た状態を示している。
【００２７】
排出部３０には図２および図３に示すように、用紙をニップして搬送する複数の排出反転ローラー対２０が設けられている。各排出反転ローラー対２０は、用紙搬送路１１の上側に配置される駆動ローラー２１と、下側に配置される従動ローラー２２と、を含んでいる。複数の駆動ローラー２１は、第１回転軸２１ａに固定されているとともに、第１回転軸２１ａの延びる方向（用紙幅方向、図３の左右方向）に沿って互いに所定間隔を隔てて配置されている。複数の従動ローラー２２は、第２回転軸２２ａに固定されているとともに、第２回転軸２２ａの延びる方向（用紙幅方向）に沿って互いに所定間隔を隔てて配置されている。
【００２８】
第１回転軸２１ａは、排出部３０における用紙搬送路１１の上面を構成する上ガイド部材（保持部）３１に回転可能に支持されている。第２回転軸２２ａは、排出部３０における用紙搬送路１１の下面を構成する下ガイド部材３２に回転可能に支持されている。また、第２回転軸２２ａは、下ガイド部材３２に配置された圧縮コイルバネ３３（図４参照）によって上方に付勢されている。
【００２９】
図４および図５に示すように、上ガイド部材３１および下ガイド部材３２の排紙方向（排出方向、矢印Ｘ方向）とは反対方向には、ガイド部材４１および４２が設けられている。ガイド部材４１および下ガイド部材３２によって用紙搬送路１１の一部が構成されており、ガイド部材４１および４２によって反転搬送路１６の一部が構成されている。
【００３０】
また、排出部３０には、用紙搬送路１１の上側に配置され、用紙搬送路１１内に下方向（記録媒体厚み方向）に突出する樹脂製の複数の腰付け部材５０が設けられている。複数の腰付け部材５０は、用紙幅方向に沿って互いに所定間隔を隔てて配置されており、ここでは図３に示すように、腰付け部材５０と排出反転ローラー対２０とが用紙幅方向に交互に配置されている。
【００３１】
腰付け部材５０は、排出反転ローラー対２０のニップ部よりも下方に突出するように配置されているので、排出反転ローラー対２０にニップされて搬送される用紙と摺接し、用紙搬送方向（矢印ＸＸ´方向）と垂直な断面において用紙を波形状に変形させて用紙に腰を付与することが可能である。
【００３２】
腰付け部材５０は図６に示すように、用紙と摺接する摺接部５１と、４つの係合部５２と、を有する。係合部５２は、摺接部５１よりも排紙方向下流側（図４の左側）に配置される２つの第１係合部５２ａと、摺接部５１よりも排紙方向上流側（図４の右側）に配置される２つの第２係合部５２ｂと、を含んでいる。第１係合部５２ａは、用紙搬送方向（矢印ＸＸ´方向）において、第２係合部５２ｂよりも摺接部５１の近くに配置されている。第１係合部５２ａおよび第２係合部５２ｂは、用紙幅方向の両側に突出するように一対ずつ設けられている。なお、本実施形態では、第１係合部５２ａは用紙幅方向から見て円形状に形成されており、第２係合部５２ｂは用紙幅方向から見て略四角形状に形成されている。
【００３３】
腰付け部材５０は、上ガイド部材３１に移動可能に保持されている。上ガイド部材３１には、４つの係合部５２が係合する４つのガイド溝（ガイド部）３４が形成されている。ガイド溝３４は、第１係合部５２ａに係合する２つの第１ガイド溝（第１ガイド部）３４ａと、第２係合部５２ｂに係合する２つの第２ガイド溝（第２ガイド部）３４ｂと、を含んでいる。
【００３４】
第１ガイド溝３４ａおよび第２ガイド溝３４ｂは、排紙方向上流側（図４の右側）に向かって用紙から離間する方向（上方向）に延びるように形成されている。なお、本実施形態では、第１ガイド溝３４ａおよび第２ガイド溝３４ｂは、水平面に対して等しい傾斜角度（約３０°）で延びるように形成されている。
【００３５】
この画像形成装置１００では、排出反転ローラー対２０が正回転して用紙が排紙方向（図４の左方向）に搬送される際に、摺接部５１は用紙から排紙方向への摩擦力を受ける。このため、第１係合部５２ａおよび第２係合部５２ｂは、第１ガイド溝３４ａおよび第２ガイド溝３４ｂの図４の左下の位置（第１位置）に配置される。このとき、腰付け部材５０は、用紙搬送路１１内へ突出して用紙に腰を付与する。
【００３６】
その一方、排出反転ローラー対２０が逆回転して用紙が反転方向（排紙方向とは反対方向、図５の右方向）に搬送される際に、摺接部５１は用紙から反転方向への摩擦力を受ける。このため、第１係合部５２ａおよび第２係合部５２ｂは、第１ガイド溝３４ａおよび第２ガイド溝３４ｂに沿って図５の右上方向に平行移動し、右上の位置（第２位置）に配置される。このとき、腰付け部材５０は、用紙から離間する方向に退避しているので、用紙に腰が付与されることが抑制される。
【００３７】
本実施形態では、上記のように、腰付け部材５０は、排出反転ローラー対２０が正回転して用紙が排紙方向に搬送される際に、用紙から受ける摩擦力によって、用紙搬送路１１内に用紙厚み方向に突出する第１位置に配置される。これにより、排出反転ローラー対２０により用紙が胴内排紙部１７に排出される際には、腰付け部材５０により用紙に腰が付与される。このため、用紙は胴内排紙部１７に整然と積載される。
【００３８】
その一方、腰付け部材５０は、排出反転ローラー対２０が逆回転して用紙が反転方向に搬送される際に、用紙から受ける摩擦力によって、ガイド溝３４に沿って反転方向に移動し、第１位置に比べて用紙搬送路１１内への突出量が小さい第２位置に配置される。これにより、用紙の両面に画像形成処理を行うために、排出反転ローラー対２０により用紙が反転搬送路１６に向かって搬送される際には、腰付け部材５０は第１位置から第２位置に退避するので、腰付け部材５０により用紙に腰が付与されるのを抑制することができる。このため、用紙が反転搬送路１６の湾曲部を通過するときに異音が発生するのを抑制することができる。
【００３９】
また、腰付け部材５０を用紙に対して接離する方向に移動させる駆動部を設ける必要がないので、部品点数の増加を抑制することができる。
【００４０】
また、上記のように、係合部５２は、摺接部５１よりも排紙方向下流側に配置される第１係合部５２ａと、摺接部５１よりも排紙方向上流側に配置される第２係合部５２ｂと、を含み、ガイド溝３４は、第１係合部５２ａに係合する第１ガイド溝３４ａと、第２係合部５２ｂに係合する第２ガイド溝３４ｂと、を含む。これにより、上ガイド部材３１により腰付け部材５０を容易に安定して保持することができる。
【００４１】
また、上記のように、第１ガイド溝３４ａおよび第２ガイド溝３４ｂは、排紙方向上流側に向かって用紙から離間する方向に延びるように形成されている。これにより、用紙が反転搬送路１６に向かって搬送される際に摺接部５１が用紙から受ける摩擦力により腰付け部材５０が排紙方向上流側に移動する場合に、腰付け部材５０を用紙から離間する方向に容易に移動させることができる。また、用紙搬送方向において摺接部５１に近い方の第１係合部５２ａに係合する第１ガイド溝３４ａを、排紙方向上流側に向かって用紙から離間する方向に延びるように形成する。これにより、摺接部５１に近い部分（第１係合部５２ａ）を用紙から離間する方向に移動させることができるので、第１係合部５２ａの移動距離を短くした場合であっても、摺接部５１を用紙から離間する方向に十分に移動させることができる。
【００４２】
また、上記のように、第１ガイド溝３４ａおよび第２ガイド溝３４ｂの両方が、排紙方向上流側に向かって用紙から離間する方向に延びるように形成されている。これにより、腰付け部材５０を平行移動させながら用紙から離間する方向に移動させることができるので、第１ガイド溝３４ａおよび第２ガイド溝３４ｂを短く形成することができる。
【００４３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４４】
例えば、モノクロ複写機に本発明を適用した例について示したが、本発明はこれに限らない。言うまでもなく、カラー複写機、モノクロプリンター、カラープリンター、デジタル複合機、ファクシミリ等の、記録媒体に腰を付与する複数の腰付け部材を備えた種々の画像形成装置に本発明を適用できる。
【００４５】
また、上記実施形態では、第１ガイド溝３４ａおよび第２ガイド溝３４ｂを水平面に対して等しい傾斜角度で延びるように形成し、腰付け部材５０を平行移動させる例について示したが、本発明はこれに限らない。例えば図７に示した本発明の第１変形例のように、第１ガイド溝３４ａおよび第２ガイド溝３４ｂの一方（ここでは第１ガイド溝３４ａ）を水平面に対して傾斜させるとともに、第１ガイド溝３４ａおよび第２ガイド溝３４ｂの他方（ここでは第２ガイド溝３４ｂ）を水平方向に延びるように形成してもよい。この場合、用紙搬送方向において摺接部５１に遠い方の第２係合部５２ｂに係合する第２ガイド溝３４ｂを、水平方向に延びるように形成することが好ましい。このように構成すれば、腰付け部材５０の第１係合部５２ａ側の部分のみを持ち上げればよいので、摺接部５１と用紙との間の摩擦力が比較的小さい場合であっても、摺接部５１を用紙から離間する方向（上方向）に容易に移動させることができる。なお、図７の構成では、第２係合部５２ｂ回りの回転動作も加わるので、第２係合部５２ｂは用紙幅方向から見て円形状に形成されることが好ましい。また、図７の構成では、腰付け部材５０の第１係合部５２ａ側の部分のみが持ち上げられるので、摺接部５１を上方向に十分に移動させるためには、第１ガイド溝３４ａを上記実施形態に比べて長く形成する必要がある。
【００４６】
また、上記実施形態では、係合部５２を排紙方向の上流側および下流側に一対ずつ形成した例について示したが、本発明はこれに限らず、例えば図８に示した本発明の第２変形例のように、係合部５２を一対だけ形成してもよい。この場合、係合部５２を、ガイド溝３４と同じ方向に延びるように形成することにより、腰付け部材５０を平行移動させてもよい。
【００４７】
また、上記実施形態では、腰付け部材５０を下方向に付勢する付勢部材を設けない例について示したが、本発明はこれに限らず、腰付け部材５０を下方向に付勢する付勢部材（圧縮バネ等）を設けてもよい。
【００４８】
また、上記実施形態では、腰付け部材５０を用紙搬送路１１の上側に配置した例について示したが、本発明はこれに限らず、腰付け部材５０を用紙搬送路１１の下側に配置してもよい。この場合、腰付け部材５０を上方向に付勢する付勢部材（圧縮バネ等）を設ければよい。
【００４９】
また、上述した実施形態および変形例の構成を適宜組み合わせて得られる構成についても、本発明の技術的範囲に含まれる。
【符号の説明】
【００５０】
３  画像形成部
５  感光体（像担持体）
１１  用紙搬送路（排出搬送路）
１４  定着部
１６  反転搬送路
２０  排出反転ローラー対
３０  排出部
３１  上ガイド部材（保持部）
３４  ガイド溝（ガイド部）
３４ａ  第１ガイド溝（第１ガイド部）
３４ｂ  第２ガイド溝（第２ガイド部）
５０  腰付け部材
５１  摺接部
５２  係合部
５２ａ  第１係合部
５２ｂ  第２係合部
１００  画像形成装置
【図１】
2017132610.tif 000003
【図２】
2017132610.tif 000004
【図３】
2017132610.tif 000005
【図４】
2017132610.tif 000006
【図５】
2017132610.tif 000007
【図６】
2017132610.tif 000008
【図７】
2017132610.tif 000009
【図８】
2017132610.tif 000010